【事件の表示】
　平成　７年特許願第　４５４３６号「データ通信装置」拒絶査定不服審判事件〔平成　８年　９月１７日出願公開、特開平　８−２４２３１１〕について、次のとおり審決する。
【結　論】
　本件審判の請求は、成り立たない。
【理　由】
１．手続の経緯と本願発明
　本願は、平成７年３月６日の出願であって、特許請求の範囲の請求項１に係る発明（以下、「本願発明」という。）は、平成１９年７月５日付け手続補正書により補正された明細書及び図面の記載からみて、その特許請求の範囲の請求項１に記載された以下のとおりのものと認める。
　「少なくとも１以上の外部装置を接続可能な接続手段と、相手通信装置から画像データを受信する受信手段と、前記受信手段で受信した画像データを前記接続手段を介して外部装置に転送する転送手段と、前記接続手段を介して接続される外部装置を特定する情報と当該外部装置が前記受信手段で受信する画像データを出力可能な能力とを対応付けたテーブルを保持する保持手段と、前記保持手段で保持しているテーブルの内容及び該テーブルに含まれる外部装置が前記転送手段による転送を許可する外部装置として選択されているか否かを可視表示する表示手段と、前記表示手段による表示に基づくオペレータによる選択操作に応じて前記保持手段で保持しているテーブルから前記転送手段による転送を許可する外部装置を選択する選択手段と、前記選択手段で選択された外部装置で画像データを出力可能な能力を前記保持手段で保持しているテーブルから読み出して相手通信装置へ通知する通知手段とを有することを特徴とするデータ通信装置。」
　
２．引用発明
（１）これに対して、当審の拒絶理由に引用された特開平４−３８０６６号公報（以下、「引用例１」という。）には、図面とともに、以下の事項が記載されている。
　イ．「２．特許請求の範囲
（１）画像蓄積機能を備えたファクシミリ装置をローカルエリアネットワーク手段を介して複数台接続するとともに、他のファクシミリ装置の装置機能を記憶し、着信時には、装置機能として接続されている全てのファクシミリ装置の装置機能を包含する装置機能を通知し、受信画情報を自端末で記録出力できない場合には、記憶している他のファクシミリ装置の装置機能に基づいてその受信画情報を記録出力可能なファクシミリ装置を判別し、そのファクシミリ装置に受信画情報を転送する一方、他のファクシミリ装置から受信画情報が転送されたファクシミリ装置は、その受信画情報の画像を記録出力することを特徴とするファクシミリ装置の制御方法。」（１頁左下欄第４〜１８行）
　ロ．「第１図は、本発明の一実施例にかかるファクシミリシステムを示している。
　このファクシミリシステムは、画像記録するためのプロッタの記録幅がＡ４サイズのファクシミリ装置ＦＸＡと、プロッタの記録幅がＡ３サイズのファクシミリ装置ＦＸＢを、ポイントツーポイント形式のローカルエリアネットワークＬＡＮを用いて接続して構成されるものであり、おのおののファクシミリ装置ＦＸＡ、ＦＸＢは、第２図に示すような構成を備えている。
・・・（中略）・・・
外部インタフェース回路６は、他のファクシミリ装置とデータのやりとりを行うためのものであり、ローカルエリアネットワークＬＡＮのノードを構成する。」（３頁左下欄１行〜右下欄６行）
　ハ．「以上の構成で、ファクシミリ装置ＦＸＡは、電源が投入されてシステムが立上げられると、外部インタフェース回路６を用い、ローカルエリアネットワークＬＡＮを介して第３図（ａ）に示した手順を実行し、ファクシミリ装置ＦＸＢの装置機能情報を得る。
　すなわち、まず、ファクシミリ装置ＦＸＡは、ローカルエリアネットワークＬＡＮを用いて接続することを要求する接続要求信号ＳＴ１を送出し、ファクシミリ装置ＦＸＢは、この接続要求信号ＳＴ１を受信すると、ローカルエリアネットワークＬＡＮを用いたデータ伝送機能を起動し、接続完了信号ＳＲ１を送出する。
　これにより、ファクシミリ装置ＦＸＡは、装置機能要求信号ＳＴ２（第４図（ａ）参照）を送出して、ファクシミリ装置ＦＸＢに対して装置機能を通知するように要求する。なお、ここで、手順信号の最初の情報要素は、その手順信号を識別するためのコードデータである。
　ファクシミリ装置ＦＸＢは、装置機能要求信号ＳＴ２を入力すると、第４図（ｂ）に示すように、記録可能なサイズ、使用可能な符号化モードおよび使用可能な解像度など、自端末の装置機能を通知する装置機能通知信号ＳＲ２を形成して、ファクシミリ装置ＦＸＡに転送する。
　ファクシミリ装置ＦＸＡは、ファクシミリ装置ＦＸＢより装置機能通知信号ＳＲ２を受信すると、その内容を記憶する。・・・（中略）・・・
　このようにして、ファクシミリ装置ＦＸＢの装置機能を得ると、ファクシミリ装置ＦＸＡは、着信検出時に自端末の装置機能を通知するために発呼側端末に応答するデジタル識別信号ＤＩＳおよび非標準機能識別信号ＮＳＦのそれぞれの情報フィールドに、自端末の装置機能と、ファクシミリ装置ＦＸＢの装置機能を包含した内容の情報をセットする。
　したがって、これ以降、ファクシミリ装置ＦＸＡでは、画情報の受信動作を行って得た受信画情報のサイズが、例えば、Ｂ４判やＡ３判など、自端末で等倍記録できないサイズである場合があり、この場合には、ローカルエリアネットワークＬＡＮを用いて、第３図（ｂ）に示すような手順を実行し、その受信画情報をファクシミリ装置ＦＸＢに転送して、ファクシミリ装置ＦＸＢに受信原稿を等倍に記録出力させる。」（４頁左上欄１８行〜右下欄６行）
　ニ．「第７図の受信動作の処理では、まず、自端末が非音声端末であることを表示するための被呼局識別信号ＣＥＤを応答して（処理３０１）、自端末の標準的な伝送機能を通知するためのデジタル識別信号ＤＩＳおよび非標準機能識別信号ＮＳＦを送出する（処理３０２）。このとき、発呼側に通知する伝送機能の内容は、自端末に備えられている装置機能と、ファクシミリ装置ＦＸＢから通知された装置機能を包含する内容をセットする。
　次いで、相手端末と所定の伝送前手順を実行して伝送機能の交渉などを行い（処理３０３）、そのときに指定された用紙サイズが、自端末で記録可能なものであるかどうかを判断する（判断３０４）。
　判断３０４の結果がＹＥＳになるときには、受信した画情報を符号化復号化部８で元の画信号に復号化し、それによって得た画信号をプロッタ５に順次転送して、受信画像を記録出力させる（処理３０５）。
　画情報の受信を終了すると、所定の伝送後手順を実行して（処理３０６）、回線を復旧し（処理３０７）、一連の画情報受信動作を終了する。
　一方、指定された用紙サイズが自端末で記録できない場合で、判断３０４の結果がＮＯになるときには、この場合には、ファクシミリ装置ＦＸＢで記録可能な用紙サイズが指定された場合なので、受信画情報を一旦画像蓄積装置９に蓄積する（処理３０８）。
　そして、画情報受信を終了すると、所定の伝送後手順を実行したのちに（処理３０９）、回線を復旧し（処理３１０）、そのときに受信した画情報をファクシミリ装置ＦＸＢに転送するためのファイル転送要求をセットして（処理３１１）、この受信動作を終了する。
　このようにして、自端末の装置機能として、ファクシミリ装置ＦＸＢの装置機能も包含する内容を通知し、それによって、発呼側ファクシミリ装置が、自端末では記録できないような大きなサイズの用紙サイズを指定した場合には、受信画情報を一旦画像蓄積装置９に蓄積して、その蓄積した受信画情報をファクシミリ装置ＦＸＢに転送するようにしている。」（７頁左上欄１行〜右上欄１９行）
　ホ．「ところで、上述した実施例では、２つのファクシミリ装置をローカルエリアネットワークで相互接続している場合について説明したが、３つ以上のファクシミリ装置をローカルエリアネットワークに接続することもできる。」（９頁左上欄８〜１２行）
　
　上記摘記事項ホに記載されているような３つ以上のファクシミリ装置をローカルエリアネットワークに接続した場合には、転送を行う上で「他のファクシミリ装置を特定する情報」と「装置機能」の対応関係を知る必要があるから、ファクシミリ装置ＦＸＡ内に「他のファクシミリ装置を特定する情報と当該他のファクシミリ装置が受信する手段で受信する受信画情報を出力可能な装置機能とを対応付けたテーブル」が備えられていることは明らかである。
　上記摘記事項ハにおける「ファクシミリ装置ＦＸＡは、ファクシミリ装置ＦＸＢより装置機能通知信号ＳＲ２を受信すると、その内容を記憶する。」という記載および「このようにして、ファクシミリ装置ＦＸＢの装置機能を得ると、ファクシミリ装置ＦＸＡは、着信検出時に自端末の装置機能を通知するために発呼側端末に応答するデジタル識別信号ＤＩＳおよび非標準機能識別信号ＮＳＦのそれぞれの情報フィールドに、自端末の装置機能と、ファクシミリ装置ＦＸＢの装置機能を包含した内容の情報をセットする。」という記載から、ファクシミリ装置ＦＸＡが「他のファクシミリ装置で受信画情報を出力可能な装置機能を記憶手段から読み出して発呼側端末へ通知する」ことは明らかである。
　
　したがって、上記引用例１の記載及び添付図面ならびにこの分野における技術常識を考慮すると、上記引用例１には以下の発明（以下、「引用発明１」という。）が開示されている。
　
　「少なくとも１以上の他のファクシミリ装置を接続可能な外部インターフェース回路と、発呼側端末から受信画情報を受信する手段と、前記受信する手段で受信した受信画情報を前記外部インターフェース回路を介して他のファクシミリ装置に転送する手段と、前記外部インターフェース回路を介して接続される他のファクシミリ装置を特定する情報と当該他のファクシミリ装置が前記受信する手段で受信する受信画情報を出力可能な装置機能とを対応付けたテーブルを保持する手段と、他のファクシミリ装置で受信画情報を出力可能な装置機能を記憶手段から読み出して発呼側端末へ通知する手段とを有するファクシミリ装置。」
　
（２）また、同じく当審の拒絶理由に引用された特開平６−３２４８２３号公報（以下、「引用例２」という。）には、図面とともに以下の事項が記載されている。
　イ．「【００５５】第１１実施例について説明をする。この実施例は請求項１４の発明の一実施例で、第１０実施例の類似例にあたる。構成は第１０実施例と同様である（図２４）。この実施例は、各プリンタに対する各ユーザの好みを的確に反映させる為のもので、各ユーザは各プリンタを「無条件に選択」、「確認して選択」、「選択しない」の何れかに分類し、プリンタテーブル１０２（図２８）に登録しておく。「無条件に選択」とされるプリンタは、いわばそのユーザの好みに合っているもので、候補プリンタ抽出部４４Ｊによってそれが選択されたら、ユーザの確認無しでそれを出力プリンタとして良いものである。「確認して選択」とされるプリンタは、ユーザが「可」とすれば、それが出力プリンタとされ、「否」とすれば、それがオミットされてしまうもので、例えば、印字品質には少し難はあるが、一番近くて便利なので、校正など印字品質を問題にしないとき使いたい、というようなものをこのランクに登録する。「選択しない」とされるプリンタは、そのユーザが使用しないもので、例えば設置場所が遠い、所望するフォントを備えていない、というようなものをこのランクに登録する。
【００５６】選択基準登録用ウィンドウの例１０１を図２７に示す。各ユーザは、夫々の事情を勘案して各プリンタを何れかの選択基準に当て嵌める。この結果はプリンタテーブル１０２（図２８）としてプリンタ情報保持部４０内に保持される。なお設定は同じプリンタについて各ユーザ毎に行なう。従って、プリンタテーブル１０２はユーザ毎に別々に存在する。このプリンタテーブル１０２によるプリンタ選択の手順を図２９に示す。あるユーザからのプリント要求を受け付けたら、プリンタ情報保持部４０を参照してそのジョブに適合した候補プリンタを取り出す（Ｓ７１）。この候補プリンタ名を、プリンタ情報保持部４０に格納されているこのときのユーザのプリンタテーブル１０２に照合する。このときのユーザがこのプリンタを「無条件に選択」としていたら、これを出力プリンタに選定して（Ｓ７６）、このときのジョブを送信する。」（第１４頁第２５欄，段落５５〜５６）
　ロ．図２７には選択されているか否かを可視表示していることが読み取れる。
　
　上記摘記事項イの【００５６】における「選択基準登録用ウィンドウの例１０１を図２７に示す。各ユーザは、夫々の事情を勘案して各プリンタを何れかの選択基準に当て嵌める。」という記載及び図２７の図面から選択基準登録用ウィンドウにより「プリンタが出力を許可するプリンタとして選択されているか否かを可視表示し、表示に基づくユーザによる選択操作に応じて出力を許可するプリンタを選択」していることは明らかである。
　
　したがって、上記引用例２の記載及び添付図面ならびにこの分野における技術常識を考慮すると、上記引用例２には、「プリンタの選択においてユーザの好みを反映させるために、プリンタが出力を許可するプリンタとして選択されているか否かを可視表示する表示手段と、表示手段による表示に基づくユーザによる選択操作に応じて出力を許可するプリンタを選択する選択手段を備える」発明（以下、「引用発明２」という。）が開示されている。
　
３．対比・判断
　（１）対比
　本願発明と引用発明１とを対比すると、
　引用発明１の「他のファクシミリ装置」はファクシミリ装置ＦＸＡにとって外部装置であるから、本願発明の「外部装置」に相当し、
　引用発明１の「外部インターフェース回路」は他のファクシミリ装置と接続する手段であるから、本願発明の「接続手段」に相当し、
　引用発明１の「発呼側端末」はファクシミリ通信の相手通信装置であるから、本願発明の「相手通信装置」に相当し、
　引用発明１の「受信画情報」はファクシミリ通信の画像データであるから、本願発明の「画像データ」に相当し、
　引用発明１の「受信する手段」は本願発明の「受信手段」に相当し、
　引用発明１の「転送する手段」は本願発明の「転送手段」に相当し、
　引用発明１の「装置機能」は記録可能なサイズや解像度であるから、本願発明の「能力」に相当し、
　引用発明１の「保持する手段」は本願発明の「保持手段」に相当し、
　引用発明１の「記憶手段」と本願発明の「保持しているテーブル」は記憶手段という点で一致し、
　引用発明１の「通知する手段」は本願発明の「通知手段」に相当し、
　引用発明１の「ファクシミリ装置ＦＸＡ」は画情報のデータを通信する装置であるから、本願発明の「データ通信装置」に相当する。
　
　したがって、本願発明と引用発明１は、以下の点で一致し、また、相違している。
　
（一致点）
　「少なくとも１以上の外部装置を接続可能な接続手段と、相手通信装置から画像データを受信する受信手段と、前記受信手段で受信した画像データを前記接続手段を介して外部装置に転送する転送手段と、前記接続手段を介して接続される外部装置を特定する情報と当該外部装置が前記受信手段で受信する画像データを出力可能な能力とを対応付けたテーブルを保持する保持手段と、外部装置で画像データを出力可能な能力を記憶手段から読み出して相手通信装置へ通知する通知手段とを有するデータ通信装置。」
　
（相違点１）
　本願発明では「前記保持手段で保持しているテーブルの内容及び該テーブルに含まれる外部装置が前記転送手段による転送を許可する外部装置として選択されているか否かを可視表示する表示手段と、前記表示手段による表示に基づくオペレータによる選択操作に応じて前記保持手段で保持しているテーブルから前記転送手段による転送を許可する外部装置を選択する選択手段」を備えているのに対し、引用発明１ではそのような構成を備えていない点。
　
（相違点２）
　外部装置で画像データを出力可能な能力を、本願発明では「保持手段で保持しているテーブル」から読み出しているのに対し、引用発明１では、記憶手段から読み出しているが記憶手段と保持手段の関係が不明であり、保持手段で保持しているテーブルから読み出すとは規定していない点。
　
（２）当審の判断
　上記相違点を検討する。
　
（相違点１）
　上記「２．引用発明」の「（２）」に示したように、引用発明２には「プリンタの選択においてユーザの好みを反映させるために、プリンタが出力を許可するプリンタとして選択されているか否かを可視表示する表示手段と、表示手段による表示に基づくユーザによる選択操作に応じて出力を許可するプリンタを選択する選択手段を備える」ことが開示されている。また、装置を選択する際に表示手段に装置の付加情報も表示することは例えば特開平６−２７４２９２号公報の図９〜図１３における印字品質や距離や特開平３−１５０６１４号公報の第７頁左下欄第１５〜２０行記載のアイコンマーク８０３によるプリンタの形式や第７頁右下欄第１２〜１７行記載のカラープリンタやカラープロッタの色に開示されているように、周知であるから、引用発明１においてユーザの好みを反映させるために引用発明２の構成および周知である付加情報の表示技術を適用し、本願発明のように構成する程度のことは当業者が容易になし得ることである。
　
（相違点２）
　引用発明１において記憶手段に記憶している内容と保持手段で保持しているテーブルの内容はどちらも外部装置の出力可能な能力であるから、引用発明において外部装置の出力可能な能力を読み出す際に保持手段で保持しているテーブルから読み出す構成にしてみることに格別の創意工夫を要するものとすることはできない。
　
　上記相違点１、２についての判断に加え、本願発明が有する効果も引用例１，２及び周知技術から当業者が予測できる範囲のものである。
　
４．結語
　以上のとおり、本願発明は引用例１，２に記載された発明及び周知技術に基づいて容易に発明できたものであるから、特許法第２９条第２項の規定により、特許を受けることができないものである。
　
　よって、結論のとおり決定する。